(57)【要約】【課題】  小物野菜の鮮度を維持しつつ、野菜室内の清掃性を向上することができる冷蔵庫用食品収納容器を提供する。【解決手段】  平面形状をほぼ矩形状とし、容器の高さＨが矩形状を構成する辺の長さＷより大きく、冷蔵庫の野菜室１００の収納ケース２１０の内室で並設設置が可能な大きさを有し、その上部には食品を出し入れする入口１５１を備えた冷蔵庫用の食品収納容器１５０であって、この食品収納容器１５０は、この収納容器１５０の底面から所定の高さに浮いた位置に簀子１６０を備え、この簀子１６０を支持する食品収納容器１５０の周側面に、通気穴１５２を設けている。【選択図】  図１
2012207856.tif 000002
【特許請求の範囲】
【請求項１】
平面形状をほぼ矩形状とし、容器の高さが前記矩形状を構成する辺の長さより大きく、冷蔵庫の野菜室の収納ケースの内室で並設設置が可能な大きさを有し、その上部には食品を出し入れする入口を備えた冷蔵庫用の食品収納容器において、
前記食品収納容器は、この収納容器の底面から所定の高さに浮いた位置に簀子を備え、
この簀子を支持する前記食品収納容器の周側面に、通気穴を設けた
ことを特徴とする食品収納容器。
【請求項２】
前記請求項１記載の食品収納容器において、
前記食品収納容器は、この食品収納容器の下部を構成する下ケースと、この食品収納容器の上部を構成する上ケースと、上ケースの下端部に取り付けられる簀子とを含んで構成され、
前記通気穴は、上ケースの下端部の周側面に設けられている
ことを特徴とする食品収納容器。
【請求項３】
前記請求項２記載の食品収納容器において、
前記上ケースの内壁面の下端部には、内側に張り出した簀子支持部が形成され、
この簀子支持部に前記簀子が支持される
ことを特徴とする食品収納容器。
【請求項４】
前記請求項３記載の食品収納容器において、
前記簀子支持部は、前記上ケースの下端部張り出して形成され、
前記下ケースは、その上部開放部を前記簀子支持部に嵌合して固定される
ことを特徴とする食品収納容器。
【請求項５】
前記請求項１から４記載の何れかの食品収納容器において、
前記簀子は、通風穴の下端部より上方の位置に取り付けられている
ことを特徴とする食品収納容器。
【請求項６】
前記請求項１から５記載の何れかの食品収納容器において、
前記下ケースの下端部にヒンジ機構を介して開放可能に取り付けられている
ことを特徴とする食品収納容器。
【請求項７】
前記請求項１から６記載の何れかの食品収納容器において、
前記簀子は、通気性のある弾力性素材で形成されれている
ことを特徴とする食品収納容器。
【発明の詳細な説明】
【技術分野】
【０００１】
本発明は、野菜室内に装着可能に取り付けられて、小物野菜を収納する冷蔵庫用の食品収納容器に関するものである。
【背景技術】
【０００２】
従来より、利用者の間では冷蔵庫の庫内を整理整頓して効率よく使うことが大きな課題である。この課題を解決するために従来の冷蔵庫は、棚、トレー、ポケット等で庫内を上下方向に仕切り、それらの配置や形状に工夫を施すことにより利用者の要望に答えている。しかし、従来例では、ボトルや缶詰等の規格化された食品容器、あるいは固定容器に収まった食品または固形食品の収納には有効であるが、小物食品を主体とした異形食品の収納にはまだまだ課題が残されている。例えば、人参、なす、きゅうり等の細長の小物野菜は立てて保存することが鮮度を長く保つことが知られているが、従来例の野菜室においては深さのある野菜室に横積みにしなければならず、積み重なって鮮度を落したり、取り出しにくかったり、あるいは野菜室の底に忘れ去られて腐ったりすることがあった。
【０００３】
そこで、従来の冷蔵庫では、平面形状をほぼ矩形状とし、容器の高さが前記矩形状を構成する辺より大きく、冷蔵庫の内室で並設設置が可能な大きさを有し、上部に食品を出し入れする入口を備え、少なくとも容器下部に冷気通風口を備えた野菜スタンドを野菜室内に装着可能に設けて、小物野菜の整理整頓が容易に図れて、食品の使用勝手や庫内収納効率を高めることができる冷蔵庫用食品収納容器が提案されている。
【先行技術文献】
【特許文献】
【０００４】
【特許文献１】特開平８−１７０８７３号公報
【特許文献２】特開２０１０−５４１３８号公報
【発明の概要】
【発明が解決しようとする課題】
【０００５】
前記従来の野菜スタンドによれば、ほぼ矩形状の冷蔵庫の内室、例えば引出構造の内室と開閉扉の内壁面を水平方向に効率よく仕切ることができるから整理整頓が容易となる。また、食品を立ち姿勢で収納することができるから鮮度を保つことができ、更に、容器下部に冷気通風口を備えているので、この冷気通風口を介して冷気の循環や野菜から発生するエチレンガスや水分を野菜スタンドから排出して小物野菜の鮮度を向上させることができる。
【０００６】
しかし、これら従来の野菜スタンドは、冷気通風口を野菜スタンドの底面に設けているため、野菜スタンドの収納された小物野菜から発生する水分は野菜ケースにそのまま排出される。このため、野菜ケースに収納される他の野菜に、この水分が悪影響を与えて、鮮度を落とすという懸念がある。特に、野菜ケースは野菜室に直接取り付けられ、かつ収納容量が大きいことから、この野菜ケースを頻繁に取り外して清掃することは困難であり、また、大きな野菜ケースの底の部分の清掃にも課題がある。
【０００７】
また、従来の野菜スタンドは、樹脂材料で成型されており、この堅い容器に小物野菜を直接収納している。一般に、野菜類は、応力を受ける部分から鮮度が悪くなることが知られていることから、従来の野菜スタンドは小物野菜が受ける応力の課題を解決していない。
【０００８】
そこで、この発明の目的は、小物野菜の鮮度を維持しつつ、野菜室内の清掃性を向上することができる冷蔵庫用の食品収納容器を提供することにある。
【課題を解決するための手段】
【０００９】
前記課題を解決するために、この発明に係る食品収納容器は、平面形状をほぼ矩形状とし、容器の高さが矩形状を構成する辺の長さより大きく、冷蔵庫の野菜室の収納ケースの内室で並設設置が可能な大きさを有し、その上部には食品を出し入れする入口を備えており、この食品収納容器は、この収納容器の底面から所定の高さに浮いた位置に簀子を備え、この簀子を支持する食品収納容器の周側面に、通気穴を設けるようにする。
【発明の効果】
【００１０】
この発明によれば、収納する食品から発生する水分や野菜くずを食品収納容器の底部に貯めることができるとともに、通気穴を介して、冷気循環や食品から発生するガスを容器外に排出することができるから、小物野菜の鮮度を維持しつつ、野菜室内の清掃性を向上することができる。
【図面の簡単な説明】
【００１１】
【図１】第１実施例に係る冷蔵庫の概略図である。
【図２】第１実施例に係る野菜スタンドの外観図である。
【図３】第１実施例に係る野菜スタンドの動作機構を示す断面図である。
【図４】第１実施例に係る野菜スタンドの使用状態の説明図である。
【図５】第１実施例に係る冷蔵庫における野菜スタンドの設置図である。
【図６】第２実施例に係る野菜スタンドの部品展開図である
【図７】第２実施例に係る野菜スタンドの簀子の部品展開図である。
【発明を実施するための形態】
【００１２】
以下、図１から図７を参照して、この発明に係る野菜スタンドと、この野菜スタンドを備えた冷蔵庫について具体的に説明する。ここで、図１から図５が第１実施例に係る冷蔵庫を示し、図６と図７が第2の実施例に係る野菜スタンドを示している。なお、同様な部位や矢印などについては同一符号をもって示して重複した説明を省略する。
（第１実施例）
先ず、図１を参照して、この実施例に係る冷蔵庫を具体的に説明する。ここで、図１は第１実施例に係る冷蔵庫の概略図である。
【００１３】
図１において、この実施例に係る冷蔵庫１は、断熱材で形成される貯蔵室２を仕切壁３で上下に複数に分割し、この最下部に配置される下部貯蔵室１００を引出構造の引出扉１０１を備えた野菜室（下部貯蔵室１００）としたものである。この野菜室１００は、冷蔵庫１の最下部に配置されるために、その後方に圧縮機１１を備えた機械室１０が配置される。このため、（ａ）図に示すように、この野菜室１００の後方下部は内側に機械室１０が張り出した構造となっている。
【００１４】
この野菜室１００は、断熱材で形成される引出扉１０１を、第１引出機構部２００を介して、前後（図面上の左右方向）にスライド移動させることにより、密閉された野菜室１００を構成したり、あるいは、この野菜室１００から野菜の出し入れを行うことができる。この野菜室１００は、第１引出機構部２００に直接取り付けられる第１収納ケース２１０と、この第１収納ケース２１０の上段に第２引出機構部２０１を介して前後方向に引き出し可能に取り付けられる第２収納ケース２１１とから構成される。第２収納ケース２１１は、第１収納ケース２１０の後方に片寄って配置されることにより、第１収納ケース２１０の前部にペットボトルなどのボトル類を収納するための高さのある収納空間１１０を構成している。
【００１５】
この高さのある収納空間１１０、即ち第1収納ケース２１０の前部にはボトル類や野菜スタンド１５０の位置を安定させるための凹部２２０が形成されている。
【００１６】
そして、この実施例に係る冷蔵庫の大きな特徴の1つは、上方が開放した野菜スタンドの底部から浮いた位置に簀子を設け、この簀子が取り付けられる周側面に通風穴を形成した点にある。
【００１７】
即ち、従来知られている野菜スタンドは、平面形状をほぼ矩形状とし、容器の高さＨが前記矩形状を構成する辺の長さＷより大きく、第1収納ケース２１０の内室で並設設置が可能な大きさを有し、その上部には食品を出し入れする入口１５１を備えて形成される。これにより、小物野菜を立て姿勢で収納することができるから、野菜の鮮度を維持することができる。また、この従来の野菜スタンドは、底面部に通風穴１５２を設けることで、冷気の循環を向上させるとともに、小物野菜から発生する水分やエチレンガスを野菜スタンドの外に排出することができる。
【００１８】
しかし、この従来例では、野菜スタンド１５０から排出される水分をそのまま第１収納ケース２１０内に排出するために、この排出された水分が第１収納ケース２１０に収納される他の野菜や食品に悪影響を当たる懸念がある。更に、第１収納ケース２１０の清掃性にも課題がある。特に、第１収納ケース２１０は野菜室１００に直接取り付けられ、しかも大きな容量を備えているために、この第１収納ケース２１０を簡単に取り外して水洗いすることもできない。更に、第１収納ケース２１０は、底が深く形成されていることから、第１収納ケース２１０の底部は清掃し難い課題がある。
【００１９】
そこで、この発明者らは、野菜スタンド１５０の底面に形成される通気孔１５２を、底面から浮いた位置に形成することで、収納する小物野菜から生じる水分を、野菜スタンド１５０の底部分に貯めることを発想した。これにより、小物野菜から発生する水分を第１収納ケース２１０に排出しなくなるので、野菜スタンド１５０を第１収納ケース２１０から取り出して水洗いなどを行うことができる。
【００２０】
更に、この実施例では、野菜スタンド１５０の底部に溜まった水分から収納する野菜を保護するために、複数の通風穴１６１を備えた簀子１６０を取り付け、この簀子１６０が取り付けられる野菜スタンド１５０の周側面に通気孔１５２を形成している。この構造によれば、仮に水分が大量に発生しても、収納する小物野菜に影響を与えることなく通気孔１５２から排出することができる。更に、この通気孔１５２を設けることにより、冷気循環を向上させ、更に、小物野菜から発生するエチレンガスなどを排気することができる。
【００２１】
また、この実施例に係る冷蔵庫１の大きな特徴の他の1つは、この野菜スタンド１５０の底部を構成する下ケース１７０と、この下ケース１７０の上部に着脱可能に取り付けられる上ケース１８０と、上ケース１８０の下端部に取り付けられる簀子１６０とを含んで野菜スタンド１５０を構成し、上ケース１８０の下端部の周側面に通風穴１５２を設けた点にある。
【００２２】
即ち、従来の野菜スタンドは、小物野菜を立てて収納するため、その形状は底が深いケース形状としている。このため、この野菜スタンドの底部の清掃性に課題がある。更に、従来の野菜スタンドは、樹脂材料で成形するため、周側面に通風穴を形成すると、製造工程が多くなる課題がある。即ち、野菜スタンドの筺体を成形した工程の後に、通風穴を形成する工程を取らなければならない。このため、従来の野菜スタンドは、成形工程で通風穴を形成できるように、通風穴を底面から周側面に連続して形成している。
【００２３】
この実施例では、周側に通風穴１５２を形成しているために、前記工程数が増えるという課題がある。そこで、この発明者らは、通風穴１５２の位置で、野菜スタンド１５０を上下に分割することを発想した。この通風穴１５２の位置で分割すれば、下ケース１７０を水分や野菜くずを貯める機能に特化させることができるし、この下ケース１７０を取り外して水洗いを行うことができる。更に、上ケース１８０は、通風穴１５２を下端部に設ければよいので、新たに通風穴１５２の工程を増やす必要がない。また、この構造であれば、簀子１６０を支持する簀子支持部１８１を上ケースの内側下端部に、新たに製造工程を増やすことなく簡単に形成することができる。
【００２４】
以下、図１から図５を参照して、この実施例に係る野菜スタンド１５０を備えた冷蔵庫を更に詳細に説明する。ここで、図２は、第１実施例に係る野菜スタンドの外観図であり、（ａ）図が斜視図、（ｂ）図が平面図、（ｃ）図が正面図、（ｄ）図が縦断面図である。図３は、第１実施例に係る野菜スタンドの動作機構を示す断面図である。図４は、第１実施例に係る野菜スタンドの使用状態の説明図であり、（ａ）図が小物野菜を収納した状態の縦断面図、（ｂ）図が下ケースを開放した状態の断面図、（ｂ）図が（ｂ）図から簀子を取り外した状態の縦断面図である。図５は、第１実施例に係る冷蔵庫における野菜スタンドの設置図である。
【００２５】
先ず、図１を参照して、この実施例に係る冷蔵庫１の全体構造を具体的に説明する。図１において、冷蔵庫１の筐体４は、鋼板製の外箱５と樹脂製の内箱６との間に断熱材７を発泡充填して形成することにより、前方に開放した貯蔵室２が筐体４に形成される。この貯蔵室２は断熱材を備えた仕切壁３により、上下に分割されることにより、温度帯の異なる複数の貯蔵室２に分割される。この実施例では、最上段に冷蔵室２０を配置し、中段に冷凍室３０を配置し、最下段に野菜室１００を配置している。ここで、冷凍室３０は、断熱材を備えない仕切壁８により上下に２分割されている。
【００２６】
そして、この実施例では、冷蔵室２０に開閉扉２１を備え、上下２段に分割される冷凍室３０には引出扉３１、３２をそれぞれ備え、野菜室１００には引出扉１０１を設けている。ここで、冷凍室３０の引出扉３１、３２は野菜室１００の引出扉１０１と同様な構造を備え、かつ、公知の構造を備える収納容器を備えているため、ここでは詳細説明を省略する。また、引出扉１０１には、この引出扉１０１を引き出すためのハンドル１０２が設けられている。なお、引出扉３１、３２などにも同様なハンドルが設けられている。
【００２７】
この冷蔵庫１の背面下部は、筺体４を切り欠くように形成される機械室１０が形成される。この機械室１０には圧縮機１１やドレン皿１２が配置されている。また、機械室１０の上部の筺体４内には熱交換器１６と送風機１７と分配器１８などを備えた冷却室１５が配置される。即ち、この実施例に係る冷蔵庫１は、最下部に配置される野菜室１００の後方に機械室１０、中段の冷凍室３０の後方に冷却室１５を配置する構造を備えている。
【００２８】
そして、この実施例によれば、熱交換器１６で冷やされた冷気は、送風機１７によって分配器１８と冷凍室３０に供給される。この実施例では、分配器１８の開閉を制御することにより、冷蔵室２０と野菜室１００への冷気の供給が制御され、これにより各貯蔵室の温度を制御している。
【００２９】
具体的には、冷凍室３０に送風された冷気は、複数の送風口３３から冷凍室３０内に送風されることで、冷凍室３０内を冷却した後、熱交換器１６の下部に戻される。一方、分配器１８に供給された冷気は、冷蔵室２０に供給されて冷蔵室２０を冷やした後、図示しない通風路を介して熱交換器１６の下部と野菜室１００に供給される。野菜室１００に供給された冷気は、図示しない通路を介して熱交換器１６の下部に戻される。
【００３０】
次に、図２と図３を参照して、この実施例に係る野菜スタンド１５０の外観形状を説明する。
【００３１】
図２において、この実施例に係る野菜スタンド１５０は、辺の長さＷが１１２ｍｍで、高さＨが１６７ｍｍの大きさを備えている。上面形状は四隅に丸みのある略正方形状に設定されている。また、野菜スタンド１５０の周側面は、成形時の抜きテーパを考慮して、入口１５１の近傍の辺の長さＷ１が底面近傍の長さＷ２より大きくなるように形成されている。下ケース１７０は、高さＨ１が２０ｍｍの大きさを備えた上面が開放された皿形状としている。
上ケース１８０は、高さ寸法Ｈ２が１４７ｍｍの大きさを備え、上下方向が開放された筒形状に形成される。この上ケース１８０の各辺の下端部には複数の穴から成る通風穴１５２が設けられている。
【００３２】
また、図３に示すように、上ケース１８０内壁面の下端部には複数の簀子支持部１８１が設けられている。この簀子支持部１８１は、上ケース１８０内壁面から内側に張り出して形成されることにより、簀子１６０を支持することができる。この簀子１６０を支持する位置は、通風穴１５２の下端部より上方の位置に設定されている。これにより、下ケース１７０に満たされた水分が溢れて通風穴１６１から排出されるときに、簀子１６０に支持される小物野菜に溢れた水分が触れないように設定している。
【００３３】
図３に示すように、簀子支持部１８１は、上ケース１８０の下端部から下方に張り出して形成される。この構造により、張り出した簀子支持部１８１を介して、下ケース１７０と上ケース１８０とを連結する構造としている。また、この実施例では、下ケース１７０の下端部の一辺にヒンジ部１５３を設けて、このヒンジ部１５３を介して上ケース１８０を開閉可能に連結している。
【００３４】
この実施例では、ヒンジ部１５３を樹脂の弾性を利用した機構としている。例えば、ヒンジ部１５３で連結された下ケース１７０と上ケース１８０とをＰＰ樹脂材料で一体成型することで、図３の上部吹出内に示すように、下ケース１７０の一方を開放した状態と、図３の下部吹出内に示すように、簀子支持部１８１を介して、下ケース１７０を上ケース１８０の下端部に嵌合した状態を取ることができる。
【００３５】
なお、この実施例では樹脂の弾性を利用したヒンジ部１５３を採用しているが、これに限定されるものではない。例えば、金属製の通常のヒンジ部１５３を採用してもよい。更に、下ケース１７０と上ケース１８０の連結は、ヒンジ部１５３を介して開放可能なものに限定されるものではない。例えば、樹脂の弾性を利用して、下ケース１７０の下端部に上ケース１８０を嵌合する構造でもよい。特に、この実施例では、下ケース１７０は水分と野菜くずなどの少量の重量物を保持するため、下ケース１７０と上ケース１８０の嵌合は堅牢な構造とする必要がない。
【００３６】
次に、図４と図５を参照して、野菜スタンド１５０の使い勝手を説明する。
【００３７】
先ず、図４の（ａ）図に示すように、この実施例の野菜スタンド１５０は、キュウリやニンジンあるいはアスパラガスなどの小物野菜を立てて収納することができる。これら小物野菜は、時間がたつにつれ、野菜から水分や野菜くずなどが出てくる。これら水分や野菜くずは、簀子１６０に設けた通風穴１６１を介して下ケース１７０に集めることができる。
【００３８】
この実施例では、下ケース１７０が開放可能であるため、野菜スタンド１５０を野菜室１００から取り出して流し台まで搬送し、（ｂ）図に示すように、下ケース１７０を開放して溜まった水分や野菜くずを廃棄することができる。この実施例では、小物野菜を支持する簀子１６０が上ケース１８０に取り付けられているために、これら小物野菜の重量が下ケース１７０に係らないので、搬送途中に下ケース１７０が誤って開放することがない。
【００３９】
また、（ｃ）図に示すように、この実施例の野菜スタンド１５０は、上ケース１８０に対して下ケース１７０が開放可能であり、かつ、簀子１６０も簡単に取り外しができるため、これらの水洗いなどを簡単に行うことができる。
【００４０】
図５において、この実施例に係る野菜スタンド１５０は、その大きさを２リットルサイズのペットボトルとほぼ同じ投影面積となるように設定している。このため、ペットボトルと同様に野菜室１００内に収納することができる。例えば、図５（ａ）図は、第１収納ケース２１０の平面図を示している。第１収納ケース２１０の前部にペットボトルを２本並べて設置できる凹部２２０を設けている。この野菜スタンド１５０は、ペットボトルとほぼ同じ投影面積を備えているので、（ｂ）図に示すように凹部２２０内にペットボトルと並べて設置することができる。
【００４１】
また、（ｄ）図に示すように、この野菜スタンド１５０の高さＨは、第２収納ケース２１１の底部までの高さより低く設定されている。このため、（ｃ）図に示すように、野菜スタンド１５０の入口１５１から小物野菜や食品がはみ出さないように収納すれば、第１収納ケース２１０のどの位置でも設置することができる。
(第２実施例)
次に、図６と図７を参照して、第２の実施例に係る野菜スタンド１５０ａを説明する。ここで、図６は、第２実施例に係る野菜スタンドの部品展開図である。図７は、第２実施例に係る野菜スタンドの簀子の部品展開図である。なお、同一部位や矢印などは同一符号をもって示して重複した説明を省略する。
【００４２】
図６において、この実施例に係る野菜スタンド１５０ａも第１実施例と同様に、野菜を立てたまま収納する上部ケース１８０と、野菜から出る水分や野菜クズを溜めて捨てることができる下ケース１７０と、収納する小物野菜などが直接水分に触れないようにする簀子１６０を含んで構成し、更に、上ケース１８０の下端部に設けられる通風穴１５２を設けることで、通気性が良く、野菜からでるエチレンガスを外に排出できるため、野菜の保存性を良くすることができる。
【００４３】
そして、この第２実施例に係る野菜スタンド１５０ａの大きな特徴の１つは、やわらかい素材（例えばメッシュ材）を挟み込むことで、野菜があたる面を少なくさせ、野菜が傷むのを防ぐことができる簀子１６０ａを採用した点にある。
【００４４】
即ち、野菜類は、圧力を受けると、その圧力を受けた部分から傷むことが知られている。したがって、小物野菜を支持する簀子１６０ａが固い部材で形成すると、この簀子１６０ａと接触する部分から痛むことが懸念される。
【００４５】
そこで、この発明者らは、簀子１６０ａを、メッシュ材１６２を含んで形成することを発想した。図７には、メッシュ材１６２を含んで構成される簀子１６０ａの一例を示している。(ａ)図が簀子１６０ａの分解斜視図、（ｂ）図が簀子１６０ａの分解断面図を示している。この実施例に係る簀子１６０ａは、一対の枠体１６３の間にメッシュ材１６２を挟んで支持し、その接触部分を熱圧着または接着材で固定する構造を採用する。
【００４６】
特に、この実施例では一方の枠体１６３の接触部１６４に凹部を形成し、他方の枠体１６３の接触部１６４に凸部を形成して、メッシュ材１６２の端部を挟みこんで固定することで、メッシュ材１６２を撓むことなく一対の枠体１６３に支持することができる。
【００４７】
この実施例によれば、メッシュ材１６２の弾性を利用して小物野菜を柔らかく収納することができる。特に、野菜スタンド１５０ａに小物野菜を収納する際に、挿入される小物野菜と簀子１６０の衝突の応力を吸収することができるから、野菜の傷むことを軽減することができる。しかもメッシュ材１６２であれば、第１実施例と同様な機能も達成することができる。
【００４８】
なお、この実施例では、メッシュ材１６２を用いた事例で説明したが、これに限定されるものではない。つまり、弾力性の素材で、しかも通気性のある素材で形成すればよい。
【００４９】
このように、この実施例に係る野菜スタンドは、上部ケースと下部ケースの間に通気穴が設けられる簀子を敷き、野菜から出る水分が通気穴を通り抜けて下部ケースに溜まる仕組みにすることで野菜が直接水分に触れるのを防ぎ、より効果的に野菜を保存することができる。
【００５０】
また、この実施例に係る野菜スタンドは、上部ケースと下部ケースの間にメッシュ素材の簀子を敷き、野菜から出る水分が通風穴を通り抜けて下部ケースに溜まる仕組みにすることで野菜が直接水分に触れるのを防ぎ、かつ、収納される小物野菜への圧力の負荷を軽減して、より効果的に野菜を保存することができる。
【００５１】
更にまた、この実施例に係る野菜スタンドは、上部ケース下に取り付けられた通風穴を通して、野菜から排出されるエチレンガスを野菜スタンド内に溜めずに外に排出することで、より効果的に野菜を保存することができる。
【符号の説明】
【００５２】
１…冷蔵庫、２…貯蔵室、３…仕切壁、４…筐体、５…外箱、６…内箱、７…断熱材、８…仕切壁、１０…機械室、１１…圧縮機、１２…ドレン皿、１５…冷却室、１６…熱交換器、１７…送風機、１８…分配器、２０…冷蔵室、２１…開閉扉、３０…冷凍室、３１、３２…引出扉、３３…送風口、１００…野菜室（下部貯蔵室）、１０１…引出扉、１０２…ハンドル、１１０…収納空間、１５０、１５０ａ…野菜スタンド、１５１…入口、１５２…通風穴、１５３…ヒンジ部、１６０、１６０ａ…簀子、１６１…通風穴、１６２…メッシュ材、１７０…下ケース、１８０…上ケース、１８１…簀子支持部、２００…第１引出機構部、２０１…第２引出機構部、２１０…第１収納ケース、２１１…第２収納ケース、２２０…凹部、Ｈ…容器の高さ、Ｗ…辺の長さ
【図１】
2012207856.tif 000003
【図２】
2012207856.tif 000004
【図３】
2012207856.tif 000005
【図６】
2012207856.tif 000006
【図７】
2012207856.tif 000007
【図４】
2012207856.tif 000008
【図５】
2012207856.tif 000009